(57)【要約】【課題】符号化時に帯域別に分割された符号化データ構造を有効に利用して、ウェーブレット変換方式にて圧縮符号化された符号化データ空間解像度よりも低い空間解像度の符号化データに変換する画像変換装置および方法を提供。【解決手段】制御回路より所望の空間解像度が設定されると、伝送装置及び記録再生装置から必要な階層の符号化データが低域成分から順に出力されるか、または符号順序制御回路にて低域成分順に並び替えられ、これら必要な階層の低域成分順の符号化データであって、所望の空間解像度の符号化データを生成するための必要な階層の符号化データが伸張回路に入力され、伸張回路にて符号化データを復号した後、解像度変換回路は復号データを所望の空間解像度に変換し、空間解像度を変換した画像データを圧縮符号化回路にて再圧縮する。【選択図】　　　　図１
2004056452.tif 000002
【特許請求の範囲】
【請求項１】
画像の空間解像度について複数の階層に分割した階層化構造を有するウェーブレット変換方式にて圧縮符号化された第１の符号化データを、元画像の第１の空間解像度よりも低い第２の空間解像度の第２の符号化データに変換する画像変換装置において、該装置は、
第１の符号化データを入力する入力手段と、
前記第２の空間解像度を設定する解像度設定手段と、
該解像度設定手段の設定に基づいて、前記入力手段に入力される第１の符号化データ内の符号化データから、優先して復号する空間解像度の階層の符号化データを選択する選択手段と、
該選択手段にて選択される階層の符号化データを復号して復号データを生成する復号手段と、
復号データの空間解像度を前記解像度設定手段にて設定される空間解像度に変換して変換データを生成する変換手段と、
前記変換データを圧縮符号化して第２の符号化データを生成する符号化手段とを含み、
前記選択手段は、低解像度の階層の符号化データから変換後に必要な空間解像度の階層の符号化データまでを優先的に選択することを特徴とする画像変換装置。
【請求項２】
請求項１に記載の画像変換装置において、第１の符号化データは、空間解像度に関する階層化構造を表す属性情報を含み、
前記選択手段は、前記属性情報に基づいて前記優先して出力する空間解像度の階層の符号化データを選択することを特徴とする画像変換装置。
【請求項３】
請求項１に記載の画像変換装置において、前記選択手段は、前記第１の符号化データの二次元周波数を検出して、第２の空間解像度の第２の符号化データを得るために必要な階層の符号化データを選択することを特徴とする画像変換装置。
【請求項４】
請求項１に記載の画像変換装置において、前記符号化手段は、第１の符号化画像データの圧縮符号化方式と同じウェーブレット変換方式にて前記変換データを圧縮符号化することを特徴とする画像変換装置。
【請求項５】
請求項４に記載の画像変換装置において、該装置は、前記符号化手段にて生成される第２の符号化データを情報記録媒体に記録する前記記録手段を有し、該記録手段は、第２の符号化データのうち、低域成分から高域成分の順にファイルに配置して前記情報記録媒体に記録することを特徴とする画像変換装置。
【請求項６】
請求項１に記載の画像変換装置において、前記符号化手段は、第１の符号化画像データの圧縮符号化方式とは異なる圧縮符号化方式にて前記変換データを圧縮符号化することを特徴とする画像変換装置。
【請求項７】
請求項１に記載の画像変換装置において、該装置は、前記第１の符号化データを受信する伝送手段を有し、該伝送手段は、前記選択手段にて選択される階層化データを、前記第１の符号化データを送信する送信元に要求することを特徴とする画像変換装置。
【請求項８】
画像の空間解像度について複数の階層に分割した階層化構造を有するウェーブレット変換方式にて圧縮符号化された第１の符号化データを受信して、元画像の第１の空間解像度よりも低い第２の空間解像度の第２の符号化データに変換して情報記録媒体に記録する画像変換方法において、該方法は、
第１の符号化データを選択する工程と、
所望の第２の空間解像度を決定する工程と、
第２の空間解像度が第１の空間解像度に一致するか否かを判定する工程と、
第２の空間解像度が第１の符号化データ内の各階層の空間解像度に不一致の場合に、第１の符号化データ中の低解像度階層から、第２空間解像度よりも１階層分大きな空間解像度の階層までの符号化データを選択する工程と、
選択した階層の符号化データを受信する受信要求を送信する工程と、
前記受信要求に応じて送信される符号化データを受信する工程と、
受信される符号化データの空間解像度を第２の空間解像度に変換する工程と、
第２の空間解像度に変換された符号化データを情報記録媒体に記録する工程とを含むことを特徴とする画像変換方法。
【請求項９】
画像の空間解像度について複数の階層に分割した階層化構造を有するウェーブレット変換方式にて圧縮符号化された第１の符号化データを受信して、元画像の第１の空間解像度よりも低い第２の空間解像度の第２の符号化データに変換して情報記録媒体に記録する手順を記録したコンピュータ読み取り可能な記録媒体において、
第１の符号化データを選択する手順と、
所望の第２の空間解像度を決定する手順と、
第２の空間解像度が第１の空間解像度に一致するか否かを判定する手順と、
第２の空間解像度が第１の符号化データ内の各階層の空間解像度に不一致の場合に、第１の符号化データ中の低解像度階層から、第２空間解像度よりも１階層分大きな空間解像度の階層までの符号化データを選択する手順と、
選択した階層の符号化データを受信する受信要求を送信する手順と、
前記受信要求に応じて送信される符号化データを受信する手順と、
受信される符号化データの空間解像度を第２の空間解像度に変換する手順と、
第２の空間解像度に変換された符号化データを情報記録媒体に記録する手順とが記録されたコンピュータ読み取り可能な記録媒体。
【発明の詳細な説明】
【０００１】
【発明の属する技術分野】
本発明は、画像信号をウェーブレット変換方式によって変換した符号化データの空間解像度を変換する画像変換装置および方法に係り、元画像よりも低い空間解像度の符号化データに変換する画像変換装置および方法に関するものである。
【０００２】
【従来の技術】
近年、ウェーブレット（ｗａｖｅｌｅｔ）変換を利用して画像信号を圧縮符号化するウェーブレット符号化方式が検討されている。ウェーブレット符号化方式では、離散コサイン変換（ＤＣＴ）を利用して圧縮符号化する方式と較べてモスキート雑音やブロックノイズを低減することができるというメリットがあり、今後の利用が期待されている。
【０００３】
たとえば、ＩＳＯ国際標準規格として規定される「ＪＰＥＧ−２０００」では、離散ウェーブレット変換（Ｄｉｓｃｒｅｔｅ　Ｗａｖｅｌｅｔ　Ｔｒａｎｓｆｏｒｍ）を採用する。たとえば、低域成分を階層的に分割する構成のフィルタバンクを使用し、画像全体に対して周波数分解を行って画像データを高域成分と低域成分とに二分割し、低域成分をさらに分割して階層化した周波数成分のデータに対し、不要な高域成分を切り捨てる量子化処理および符号化処理によって高圧縮の符号化データを得ることができる。
【０００４】
このようなウェーブレット変換を用いて画像データを圧縮符号化および復号する方式は、たとえば、特開２０００−１２５２９３号公報に記載されている。
【０００５】
【発明が解決しようとする課題】
従来の離散コサイン変換を用いて変換し符号化された画像信号において、符号化データ間にて画像の空間解像度を変換する場合は、解像度変換を行おうとする画像の符号化データ全体を復号したあと、空間解像度を所望のものに変換することができない。このため、全画像を復号するための処理時間が長くなり、また、処理能力を大きく消費してしまうという問題があった。これは、画像の符号化データ全体を復号したあと解像度変換を行う場合に共通する問題であった。
【０００６】
また、上述の公報では、解像度変換倍率に応じて変換係数の帯域制限を行うことを特徴とするウェーブレット復号化装置が開示されているが、ウェーブレット変換に特有な帯域ごとに分割された帯域情報に基づいて解像度変換を行うものではないので、帯域制限手段の構成が複雑化し、解像度変換倍率に応じて、たとえばアップサンプラ、ダウンサンプラおよび合成フィルタを適応的に構成する必要があった。
【０００７】
本発明はこのような従来技術の欠点を解消し、符号化時に帯域別に分割された符号化データ構造を有効に利用して、ウェーブレット変換方式にて圧縮符号化された第１の符号化データを、元画像の第１の空間解像度よりも低い第２の空間解像度の第２の符号化データに変換することのできる画像変換装置を提供することを目的とする。
【０００８】
【課題を解決するための手段】
本発明は上述の課題を解決するために、画像の空間解像度について複数の階層に分割した階層化構造を有するウェーブレット変換方式にて圧縮符号化された第１の符号化データを、元画像の第１の空間解像度よりも低い第２の空間解像度の第２の符号化データに変換する画像変換装置において、この装置は、第１の符号化データを入力する入力手段と、第２の空間解像度を設定する解像度設定手段と、解像度設定手段の設定に基づいて、入力手段に入力される第１の符号化データ内の符号化データから、優先して復号する空間解像度の階層の符号化データを選択する選択手段と、選択手段にて選択される階層の符号化データを復号して復号データを生成する復号手段と、復号データの空間解像度を解像度設定手段にて設定される空間解像度に変換して変換データを生成する変換手段と、変換データを圧縮符号化して第２の符号化データを生成する符号化手段とを含み、選択手段は、低解像度の階層の符号化データから変換後に必要な空間解像度の階層の符号化データまでを優先的に選択することを特徴とする。
【０００９】
この場合、第１の符号化データは、空間解像度に関する階層化構造を表す属性情報を含み、選択手段は、属性情報に基づいて前記優先して出力する空間解像度の階層の符号化データを選択するとよい。
【００１０】
また、選択手段は、第１の符号化データの二次元周波数を検出して、第２の空間解像度の第２の符号化データを得るために必要な階層の符号化データを選択するとよい。
【００１１】
また、符号化手段は、第１の符号化画像データの圧縮符号化方式と同じウェーブレット変換方式にて変換データを圧縮符号化してもよく、この場合、符号化手段にて生成される第２の符号化データを情報記録媒体に記録する記録手段を有し、第２の符号化データのうち、低域成分から高域成分の順にファイルに配置して情報記録媒体に記録するとよい。また、符号化手段は、第１の符号化画像データの圧縮符号化方式とは異なる圧縮符号化方式にて変換データを圧縮符号化するようにしてもい。
【００１２】
また、第１の符号化データを受信する伝送手段を備えて、伝送手段は、選択手段にて選択される階層化データを、第１の符号化データを送信する送信元に要求するとよい。
【００１３】
また、画像の空間解像度について複数の階層に分割した階層化構造を有するウェーブレット変換方式にて圧縮符号化された第１の符号化データを受信して、元画像の第１の空間解像度よりも低い第２の空間解像度の第２の符号化データに変換して情報記録媒体に記録する画像変換方法において、この方法は、第１の符号化データを選択する工程と、所望の第２の空間解像度を決定する工程と、第２の空間解像度が第１の空間解像度に一致するか否かを判定する工程と、第２の空間解像度が第１の符号化データ内の各階層の空間解像度に不一致の場合に、第１の符号化データ中の低解像度階層から、第２空間解像度よりも１階層分大きな空間解像度の階層までの符号化データを選択する工程と、選択した階層の符号化データを受信する受信要求を送信する工程と、受信要求に応じて送信される符号化データを受信する工程と、受信される符号化データの空間解像度を第２の空間解像度に変換する工程と、第２の空間解像度に変換された符号化データを情報記録媒体に記録する工程とを含むとよい。
【００１４】
また、画像の空間解像度について複数の階層に分割した階層化構造を有するウェーブレット変換方式にて圧縮符号化された第１の符号化データを受信して、元画像の第１の空間解像度よりも低い第２の空間解像度の第２の符号化データに変換して情報記録媒体に記録する手順を記録したコンピュータ読み取り可能な記録媒体は、第１の符号化データを選択する手順と、所望の第２の空間解像度を決定する手順と、第２の空間解像度が第１の空間解像度に一致するか否かを判定する手順と、第２の空間解像度が第１の符号化データ内の各階層の空間解像度に不一致の場合に、第１の符号化データ中の低解像度階層から、第２空間解像度よりも１階層分大きな空間解像度の階層までの符号化データを選択する手順と、選択した階層の符号化データを受信する受信要求を送信する手順と、受信要求に応じて送信される符号化データを受信する手順と、受信される符号化データの空間解像度を第２の空間解像度に変換する手順と、第２の空間解像度に変換された符号化データを情報記録媒体に記録する手順とが記録されているとよい。
【００１５】
【発明の実施の形態】
次に添付図面を参照して本発明による画像変換装置の実施例を詳細に説明する。ウェーブレット変換を用いて符号化した画像信号は、あらかじめ空間解像度別に階層化して圧縮されているので、本実施例では、空間解像度変換に必要な階層の空間解像度の部分を他の階層の空間解像度の符号化データよりも優先的に選択して復号し、その復号データを所望の空間解像度に変換することにより、処理の高速化および簡略化を可能にする。
【００１６】
具体的には、ウェーブレット符号化による符号化データは、高域および低域に周波数分割され、水平および垂直方向にそれぞれ１段階ウェーブレット変換して帯域分割すると、たとえば図３に示すように、低域・低域（ＬＬ）成分と、低域・高域（ＬＨ）成分と、高域・低域（ＨＬ）成分と、高域・高域（ＨＨ）成分との各変換係数が得られる。ここで、所望する空間解像度が、このＬＬ成分の空間解像度と同じ、もしくはそれ未満である場合は、このＬＬ成分だけを選択してデコードし、ＬＬ成分を元にした低解像度画像データから目的とする空間解像度の低解像度画像データを作成し、さらに再圧縮符号化することにより、空間解像度が変換された符号化データを生成する。
【００１７】
ＬＬ成分の空間解像度は、ウェーブレット符号化データファイルの属性情報としてデータ内に含むようにデータファイルを形成し、この属性情報を読み取ることにより空間解像度を認識することができる。このＬＬ成分を認識する手段として、また、ＬＬ成分の二次元周波数を検知する検出回路を設けて、ＬＬ成分の空間解像度が所望の空間解像度よりも充分高いと判断される場合にはＬＬ成分のみを利用して解像度変換を行うことができる。空間解像度について、さらに多段階の階層化構造を持つウェーブレット符号化による符号化データについても、最低解像度の階層から変換後に必要な解像度階層までの符号化データについて順次デコードし、この低周波成分からなるデコード画像に対して解像度変換を行う。
【００１８】
詳しくは図１を参照すると、画像変換装置の構成例が示されている。この画像変換装置１０は、ウェーブレット符号化された符号データの空間解像度を所望の空間解像度に変換して出力する解像度変換機能を有し、符号化データを一旦復号して空間解像度の変換処理を行い、その処理結果を再符号化して出力する。
【００１９】
符号化データは、たとえば図２に示す符号化装置２０にて生成される。この符号化装置２０は、入力２００に入力されるＹＣ画像データをウェーブレット符号化する圧縮符号化回路２１０と、符号化された符号化データの送出順序を制御回路２２０の制御に応動して変更する符号順序制御回路２３０と、伝送装置２４０と、記録装置２５０と、制御回路２２０とを含み、圧縮符号化回路２１０はさらに、ウェーブレット変換回路２１２と、量子化回路２１４と、エントロピー符号化回路２１６と、算術符号化回路２１８とを含む。
【００２０】
ウェーブレット変換回路２１２は、画像データを高域および低域に周波数分割して水平および垂直方向にそれぞれ１段階もしくは多段階レベルのウェーブレット変換処理を行う。ウェーブレット変換回路２１２は、画像の空間解像度について高域および低域の階層レベルに分割するフィルタ・バンクを有し、フィルタ・バンクにより階層化処理を行って、本実施例では図３に示したように低域・低域（ＬＬ）成分と、低域・高域（ＬＨ）成分と、高域・低域（ＨＬ）成分と、高域・高域（ＨＨ）成分との各変換係数を生成する。ウェーブレット変換回路２１２は、生成した各変換係数を量子化回路２１４に供給する。
【００２１】
量子化回路２１４は、所望の圧縮率に応じて各変換係数を量子化する回路であり、変換係数の高域周波数成分を切り捨てることにより情報量を圧縮する。エントロピー符号化回路は、量子化回路２１４の出力をエントロピー符号化して符号長を低減する。エントロピー符号化された符号データは算術符号化回路２１８に入力され算術符号化回路２１８は、この入力を正規確率に応じて領域演算を繰り返し符号化を行う。
【００２２】
算術符号化回路２１８の出力は、圧縮符号化回路２１０の出力を構成し、符号順序制御回路２３０に接続されている。符号順序制御回路２３０は、出力先に応じた符号化ビットストリームを生成する回路であり、特に本実施例では、圧縮符号化回路２１０から出力される符号化データを制御回路２２０の制御に応じて空間解像度ごとに並び替えて、その送出順序を制御する順序変換処理を行う回路である。符号順序制御回路２３０の出力は、伝送装置２４０および記録装置２５０に接続されている。
【００２３】
伝送装置２４０は、符号順序制御回路２３０から出力される符号化ビットストリームを、無線又は有線の伝送路２６０を介して所望の相手先に送出する通信装置であり、受信側から送信される各種情報を受信して制御回路２２０に通知する機能を有している。伝送装置２４０は、とくに、送信相手から解像度に関する要求情報を受信して制御回路２２０に通知する。伝送路２６０には、本実施例では図１に示した画像変換装置１０がたとえばＬＡＮや公衆通信網を介して接続される。符号化装置２０から画像変換装置１０に対し、伝送路２６０を介して符号化データを伝送する際には、全階層の符号化データを送信する場合と、画像変換装置１０などから設定される空間解像度に対応する符号化データを送信する場合とがある。画像変換装置１０から解像度指定する要求情報が送信されて制御回路２２０にてこれを認識すると、要求された範囲の解像度の符号化データから順に優先して伝送するように、符号順序制御回路２３０を制御する。符号順序制御回路２３０では、制御回路２２０の制御に応じて、低解像度の符号化データを優先して送出するように符号化データを並び替えて送出する。また、制御回路２２０は、画像変換装置１０からデータの再送を要求する要求情報が送信されてこれを認識すると、要求に応じて低解像度の符号化データを優先して再送信するように、符号順序制御回路２３０および伝送装置２４０を制御する。
【００２４】
記録装置２５０は、符号順序制御回路２３０から送出される符号化データを、半導体メモリや磁気ディスク、さらには光ディスク等の着脱可能な情報記録媒体などに記録する情報記録装置である。符号化データを記録する場合には、符号順序制御回路２３０では、制御回路２２０の制御に応じて、低域成分の符号化データをファイルの先頭に配置するように優先して送出し、記録装置２５０は、優先して送出される符号化データを情報記録媒体に応じた各ファイルの記録位置における先頭部分に記録する。この先頭部分とは、各情報記録媒体において他の解像度の符号化データよりも論理的に優先して先に読み込まれる位置に対応する部分であり、物理的位置に限定されない。
【００２５】
図１に戻って画像変換装置１０は、伝送路２６０に接続される伝送装置１００と、記録再生装置１１０と、伝送装置１００および記録再生装置１１０の出力に接続される符号順序制御回路１２０と、符号順序制御回路１２０の出力データを伸張する伸張回路１３０と、伸張回路１３０の出力を制御回路１６０の制御に応じた所望の空間解像度に変換する解像度変換回路１４０と、解像度変換回路１４０の出力を再圧縮符号化する圧縮符号化回路１５０と、各部を制御する制御回路１６０を含む。
【００２６】
伝送装置１００は、伝送路２６０を介して転送されるデータを受信してその受信データを再生するとともに、制御回路１６０からの要求情報を伝送路２６０に送出して、所望の宛先、たとえば図２に示した符号化装置２０に送信する通信装置である。伝送装置１００は、受信された符号化データを符号順序制御回路１２０に出力する。
【００２７】
記録再生装置１１０は、たとえば符号化装置２０にて情報記録媒体に記録した符号化データを読み出して再生しその再生した符号化データを符号順序制御回路１２０に出力する。
【００２８】
符号順序制御回路１２０は、とくに、符号化装置２０において、優先して送出される符号化データを各ファイルの先頭部分に記録する処理を行っていない情報記録媒体から符号化データを読み出した場合など、低解像度の符号化データを先に伸張回路１３０に送出する順序変換を行う機能を有する。低解像度順に符号化データが伝送装置１００および記録再生装置１１０から与えられる場合には、符号順序制御回路１２０は、順序変換処理を行わずに、符号化データをそのままの順番で伸張回路１３０に送出する。本実施例ではこのように伸張回路１３０に入力する符号化データの順番を低解像度階層の符号データから順番に規定することにより、その途中階層の符号化データまでを必要とする場合、それ以降の高解像度の符号化データに対する余分な復号処理を行わずに中止することができ、処理負荷を低減し、処理に伴う電力消費も低減して解像度変換を完了することができる。
【００２９】
伸張回路１３０はさらに、算術符号復号回路１３２と、エントロピー復号回路１３４と、離散化回路１３６と、逆ウェーブレット変換回路１３８とを含む。算術符号復号回路１３２、エントロピー復号回路１３４、離散化回路１３６および逆ウェーブレット変換回路１３８は、それぞれ、図２に示した算術符号化回路２１８、エントロピー符号化回路２１６、量子化回路２１４およびウェーブレット変換回路２１２の逆の処理を行う回路であり、解像度指定に応じて伸張回路１３０に入力される符号化データを復号して伸張する。
【００３０】
逆ウェーブレット変換回路１３８には、算術符号復号回路１３２、エントロピー復号回路１３４および離散化回路１３６にてそれぞれ復号および離散化（逆量子化）した低域・低域（ＬＬ）成分の変換係数が入力されて逆ウェーブレット変換される。１段階のウェーブレット変換が行われて入力された場合には、その逆ウェーブレット変換して伸張された画像データを解像度変換回路１４０に入力し、制御回路１６０の制御に応じた空間解像度に縮小する解像度変換が行われる。
【００３１】
解像度変換回路１４０は、解像度変換した画像データを出力し、圧縮符号化回路１５０はその出力データを再度圧縮符号化する。圧縮符号化回路１５０は、図２示した圧縮符号化回路２１０と同様にウェーブレット変換による符号化データを生成する機能構成でもよく、またＤＣＴ変換を利用するＪＰＥＧ方式等、他の圧縮方式を採用してもよい。圧縮符号化回路１５０は、圧縮符号化した符号化データを出力１７０に出力する。この出力１７０は、たとえば図示するように外部の機器に接続されるかまたは、記録再生装置１１０に接続されて、情報記録媒体に符号化データを記録することができる。
【００３２】
制御回路１６０は、希望する変換後の空間解像度を設定するとともに、伝送装置１００および記録再生装置１１０から出力される符号化データを認識して、低域の周波数成分の符号化データから処理を開始させる。制御回路１６０は、その所望の空間解像度に応じて必要な階層の空間解像度を判断して、たとえば符号化装置２０に対して必要な空間解像度の階層の符号化データの送信を要求する。また記録再生装置１１０から符号化データを再生する場合には、所望の空間解像度に応じて必要な階層の空間解像度の符号化データを情報記録媒体から読み出す制御を行う。この必要な階層の判断処理は、上述したように、ウェーブレット符号化データファイルに形成された属性情報を読み取ることにより空間解像度を認識することができ、また、ＬＬ成分の二次元周波数を検知して、ＬＬ成分の空間解像度が所望の空間解像度よりも充分高いと判断する場合に、ＬＬ成分のみを利用して解像度変換を行うこともできる。
【００３３】
さらに図４に示すような多段階の階層構造（分割レベル２以上）の符号化データ（ＬＬ２，ＨＬ２，ＬＨ２，ＨＨ２，ＨＬ１，ＬＨ１，ＨＨ１））の場合についても、低解像度の符号化データから順次、変換後に必要な解像度の階層化データまでを復号し、この複数段階の低解像度成分からなる復号画像データを元に解像度変換を行い再圧縮することができる。
【００３４】
なお、図２に示す符号化装置２０内の記録装置２５０にて情報記録媒体に記録した符号化データを伝送装置２４０および伝送路２６０を介して画像変換装置１０に受信し、受信データの符号化データを解像度変換して、たとえば記録再生装置１１０内の情報記録媒体に、解像度変換された符号化データを記録保存する制御を制御回路１６０が行うことができる。この制御手順は、半導体メモリやディスク装置などの記録媒体に制御回路１６０等のコンピュータから読み取り可能に記録しておくことができる。
【００３５】
この場合には、制御手順に従って制御回路１６０は、たとえば図５に示すように、受信側から画像ファイルを選択する際（ステップＳ５０）に、受信画像の所望の空間解像度、つまり希望する画像サイズを決定する（ステップＳ５２）。
【００３６】
次いで制御回路１６０は、ステップＳ５４において、この所望の空間解像度が各階層の空間解像度に一致するか否かを判定し、一致する場合には、符号化データ中の低解像度階層から、一致した空間解像度までの階層の符号化データを選択する要求を伝送路２６０を介して符号化装置２０内の制御回路２２０宛に送信する（ステップＳ５６）。逆に、制御回路１６０は、この所望の空間解像度が各階層の空間解像度に一致しない不一致の場合には、符号化データ中の低解像度階層から、所望の空間解像度よりも１階層分大きな空間解像度の階層までの符号化データを選択する要求を伝送路２６０を介して符号化装置２０内の制御回路２２０宛に送信する（ステップＳ５８）。符号化データが画像変換装置１０にて受信されると、ステップＳ６０において、この受信データに対し受信誤りがあるか否かを検査し、受信誤りがある場合には、低解像度成分の符号化データを優先して再送信させる要求信号を画像変換装置１０から符号化装置２０に送信する。こうして要求に応じて受信した符号化データは、上述した実施例における解像度変換処理を経て、低解像度階層から順に読み出し可能のファイル構成にて記録再生装置１１０内の情報記録媒体に記録される。
【００３７】
【発明の効果】
このように本発明によれば、符号化時に帯域別に分割された符号化データ構造を有効に利用して、空間解像度変換に必要な空間解像度の部分だけをデコードすることにより、第１の符号化データを元画像の第１の空間解像度よりも低い所望の第２の空間解像度の第２の符号化データに変換することができ、この解像度変換に関係する処理時間および処理量を低減し、処理の高速化および簡略化が可能となる。
【００３８】
また、元になる圧縮画像のデータが途中で壊れていた場合であっても、空間解像度変換時に必要となるデータ成分が壊れていなければ実害がないので、エラー耐性が向上する。
【００３９】
とくにデータストリームの構成順序を変更することが可能であるので、符号順序を制御することにより、たとえばＬＬ成分の情報をファイルの先頭部分に配置すると、これによりＬＬ成分だけを先行してデコードすることができる。また、通信路でデータが損傷する場合に対応して、ＬＬ成分を優先して再送することができ、この場合も受信側では所望する低解像度画像を結果的に早く得ることができる。
【図面の簡単な説明】
【図１】本発明が適用された画像変換装置の一実施例を示すブロック図である。
【図２】画像データをウェーブレット変換する符号化装置の構成例を示すブロック図である。
【図３】符号化データを目的の空間解像度に変換する際の概念図である。
【図４】多階層の符号化データの構成を示す概念図である。
【図５】符号化データを受信する動作例を示すフローチャートである。
【符号の説明】
１０　画像変換装置
１００　伝送装置
１１０　記録再生装置
１２０，２３０　符号順序制御回路
１３０　伸張回路
１３２　算術符号復号回路
１３４　エントロピー復号回路
１３６　離散化回路
１３８　逆ウェーブレット変換回路
１４０　解像度変換回路
１５０　圧縮符号化回路
１６０　制御回路
【図１】
2004056452.tif 000003
【図２】
2004056452.tif 000004
【図３】
2004056452.tif 000005
【図４】
2004056452.tif 000006
【図５】
2004056452.tif 000007